(57)【特許請求の範囲】
【請求項１】
床に形成された開口部に施工される上方に開口した平面視矩形状の外枠箱体と、該外枠箱体の底面に載置されるとともに、面状ヒータを内蔵した底面ヒータパネルと、前記外枠箱体の内周面に添設される断熱パネルとを備え、
前記底面ヒータパネルは、前記面状ヒータの下面側の断熱ボードと、該面状ヒータの上面側の耐熱ボードとを有し、該耐熱ボードの外周を、前記断熱ボードの外周よりも小さく形成することで、当該底面ヒータパネルの周縁には、前記断熱パネルの下端部が係合する係合段部が周設されており、
前記断熱パネルは、その下端部が前記係合段部に係合し、その上端部が前記外枠箱体の内周面の上端部に固定具によって着脱自在に固定される構造とされていることを特徴とする掘炬燵。
【請求項２】
請求項１において、
前記断熱パネルは、それぞれ対向配置される二対のパネルで構成されており、前記外枠箱体の内周面に添設された際には、一方のパネル対のそれぞれ両端面が、他方のパネル対の両端部内側面に当接する構成とされている堀炬燵。
【発明の詳細な説明】
【技術分野】
【０００１】
本発明は、堀炬燵に関し、詳しくは、床に形成された開口部に施工される上方に開口した平面視矩形状の外枠箱体と、該外枠箱体の底面に載置される加熱手段を内蔵した底面ヒータパネルと、前記外枠箱体の内周面に添設される断熱パネルとを備えた堀炬燵に関するものである。
【背景技術】
【０００２】
従来の堀炬燵としては、床に形成された開口部の開口周縁部に外枠となる方形状の箱体を吊持し、該箱体の底面や内周面（内側面）に加熱手段としてのヒータを配設したものが知られている。
このようなヒータとしては、電熱カーペットを箱体内に敷設したようなものもあるが、近時においては、箱体の底面や内周面に添設されるヒータとして、面状ヒータなどの加熱手段を内蔵したパネル状のユニット化されたものが提案されている。
【０００３】
例えば、下記特許文献１では、床に形成された開口部に施工される箱体と、該箱体の底面に配設される面状ヒータを内臓した底面パネル（特許文献１では底面板１１）と、該箱体の内周面に配設される面状ヒータを覆う側面化粧板とを備え、これら各パネル状の部材を、箱体の底面及び内周面に取付けて堀炬燵を構成している。
この従来の堀炬燵が備える底面パネルの外周部分全域には、凹溝が形成されている。また、箱体の内周面には、弾性を有した断熱材が固着され、その断熱材の表面には、面状ヒータが固着されており、その面状ヒータを覆うようにして側面化粧板が内周面に取付けられている。この側面化粧板の取付けは、その下端部を前記凹溝に嵌合させ、その上端部を箱体の内周面にビス止めしてなされている。
【０００４】
このものでは、箱体と側面化粧板との間に配設された弾性を有した断熱材によって、その断熱材表面に固着された面状ヒータが側面化粧板側に向けて押圧状態となるので、側面化粧板と面状ヒータとの間に隙間が形成されず、すなわち空気層ができず側面化粧板と面状ヒータとが密着する。よって、面状ヒータから側面化粧板に伝播する熱が遮断されることなく、熱効率が上がる、とされている。また、側面化粧板の下端部が、底面パネルの外周部分全域に形成された凹溝に嵌合することにより固定されるので、作業工程の軽減が図れる、とされている。
【特許文献１】特開２００５−４３００５号公報（図１参照）
【発明の開示】
【発明が解決しようとする課題】
【０００５】
しかし、前記特許文献１に記載の堀炬燵では、箱体の内周面に配設されたヒータは、側面化粧板を取外すことによって、内周面に配設されたヒータの交換や点検等のメンテナンスが容易に行えるものとされているが、箱体の底面に配設されたヒータの交換や点検等のメンテナンスについては、考慮されておらず、そのメンテナンス性の改善が望まれていた。また、箱体の底面や内周面に配設される各パネル状の部材の施工性についても更なる改善が望まれていた。
【０００６】
本発明は、前記問題を解決するために提案されたもので、その目的は、外枠箱体の底面に載置される加熱手段を内蔵した底面ヒータパネルのメンテナンス性の向上が図れ、かつ、施工性の良い堀炬燵を提供することにある。
【課題を解決するための手段】
【０００７】
前記目的を達成するために、本発明に係る請求項１に記載の堀炬燵は、床に形成された開口部に施工される上方に開口した平面視矩形状の外枠箱体と、該外枠箱体の底面に載置されるとともに、面状ヒータを内蔵した底面ヒータパネルと、前記外枠箱体の内周面に添設される断熱パネルとを備え、前記底面ヒータパネルは、前記面状ヒータの下面側の断熱ボードと、該面状ヒータの上面側の耐熱ボードとを有し、該耐熱ボードの外周を、前記断熱ボードの外周よりも小さく形成することで、当該底面ヒータパネルの周縁には、前記断熱パネルの下端部が係合する係合段部が周設されており、前記断熱パネルは、その下端部が前記係合段部に係合し、その上端部が前記外枠箱体の内周面の上端部に固定具によって着脱自在に固定される構造とされていることを特徴とする。
【０００９】
請求項２では、請求項１において、前記断熱パネルは、それぞれ対向配置される二対のパネルで構成されており、前記外枠箱体の内周面に添設された際には、一方のパネル対のそれぞれ両端面が、他方のパネル対の両端部内側面に当接する構成とされている。
【発明の効果】
【００１０】
本発明によれば、床に形成された開口部に施工される上方に開口した平面視矩形状の外枠箱体の内周面に添設される断熱パネルは、その下端部が、底面ヒータパネルの周縁に周設された係合段部と、外枠箱体の内周面とで形成される凹部に係合することで、仮固定がなされるので、断熱パネルの取付け作業が容易であり、施工性の良い堀炬燵となる。
また、底面ヒータパネルも、その周縁が断熱パネルの下端部の係合によって押えられるので、外枠箱体への取付けは、底面に載置するだけでよく、施工性が良い。
さらに、外枠箱体の底面に載置するだけでもその周縁が押えられているので、底面ヒータパネルが反り返ったり、浮きが生じたりすることを防止できる。
また、固定具を取外して、断熱パネルを外枠箱体から脱離させることができ、底面に載置した底面ヒータパネルの脱離が可能となる。これにより、底面ヒータパネルの点検や交換等が可能となり、そのメンテナンス性が向上する。
【００１１】
また、前記底面ヒータパネルを、面状ヒータの下面側の断熱ボードと、該面状ヒータの上面側の耐熱ボードとを有した構成とし、該耐熱ボードの外周を、前記断熱ボードの外周よりも小さく形成することで、前記係合段部を形成しているので、容易に係合段部を形成することができる。
【００１２】
また、耐熱ボードと断熱ボードとを着脱可能な係止冶具等で固着するようにすれば、面状ヒータの点検、交換、分別廃棄等が容易に行える。
また、底面ヒータパネルの断熱ボードと、断熱パネルとで外枠箱体の底面及び内周面が全面に亙って断熱されるため、面状ヒータの輻射熱が、外枠箱体外方へ放熱することを低減でき、外枠箱体内（掘炬燵内）の暖房効果が高まる。
【００１３】
請求項２では、前記断熱パネルを、それぞれ対向配置される二対のパネルで構成し、前記外枠箱体の内周面に添設された際に、一方のパネル対のそれぞれ両端面が、他方のパネル対の両端部内側面に当接する構成としている。従って、一方のパネル対の両端面で、他方のパネル対の両端部内側面が固定されるので、施工性が良い。この場合は、他方のパネル対の上端部の固定具を不要としてもよい。換言すれば、一方のパネル対の両端面が、他方のパネル対の固定具を構成することとなる。このように、他方のパネル対が一方のパネル対の両端面で固定されるので、固定具を別途、取付ける必要がなく、施工性が良いとともに、その脱離も容易となる。
【発明を実施するための最良の形態】
【００１４】
以下に、本発明の最良の実施の形態について、図面を参照しながら説明する。
図１は、第１実施形態に係る堀炬燵が床に取付けられた状態を示す概略縦断面図、図２は、同実施形態に係る堀炬燵の一部分解概略平面図、図３は、同実施形態に係る堀炬燵の一部分解概略斜視図、図４は、同実施形態に係る堀炬燵の一部分解概略斜視図である。
【００１５】
図例の堀炬燵Ａは、大略的に、床１に形成された開口部４に取付けられた外枠箱体１０と、外枠箱体１０の底面１１ａに載置された底面ヒータパネル２０と、外枠箱体１０の内周面１２ａに添設された断熱パネル３０と、断熱パネル３０の上端部を外枠箱体１０に固定するための固定具３４，３５と、外枠箱体１０の上端面１２ｂに設けられた矩形枠状の框３６と、框３６の上方に設けられたやぐら部分である座卓（座卓脚１６のみ図示している。）とを備えている。
【００１６】
外枠箱体１０は、上方に開口した箱体であり、底面１１ａを構成する底板１１と、内周面１２ａを構成する側壁１２と、側壁１２の外周上端縁に形成され、外方へむけて突出するフランジ部１３とを有している。また、本実施形態では、外枠箱体１０は、平面視略正方形状としている。
底板１１の外周上端縁には、突起部１１ｂが周設され、この突起部１１ｂが側壁１２の下端部内周面に周設された凹溝１２ｃに嵌合して、底板１１が係止保持されている。
尚、図３において、符号１２ｄは、床下に配設された図示しない電源線を、後記する断熱パネル３０Ｂに形成されたコンセント部３３へ引き込むための開口である。
また、外枠箱体１０の底板１１及び側壁１２に適用される材料としては、パーティクルボードを適用しているが、その他、集成材、合板、木質繊維板等のいわゆる木質系材料としてもよい。あるいは、プラスチック、ＦＲＰ等の樹脂材料としてもよい。
【００１７】
開口部４は、床１を構成する床板２及び畳３を切除あるいは取外して矩形状に形成されており、床板２は、その下方から根太６、大引５、束７、束石８で支持されている。
開口部４の床板２から下方部位の内周は、外枠箱体１０の側壁１２で形成される略四角筒状体の外周に合わせて、その大きさが形成されており、その略四角筒状体が挿入可能な構成とされている。また、開口部４の畳３の部位の内周は、外枠箱体１０のフランジ部１３の外周に合わせて、その大きさが形成されており、フランジ部１３が挿入可能な構成とされている。
すなわち、フランジ部１３が床板２の開口側上面部に係止あるいは固着されて、外枠箱体１０が係止保持されている。
尚、フランジ部１３が載置される床板２の下方には、根太６あるいはその他の補強桟等を周設することが好ましい。
【００１８】
底面ヒータパネル２０は、外枠箱体１０の底面１１ａに載置されており、その底面１１ａの大きさ及び形状に合わせて形成されている。すなわち、本実施形態では、平面視略正方形状としている。
底面ヒータパネル２０は、加熱手段を構成する面状ＰＴＣ（正温度係数）ヒータ２２と、その上面に形成された板状上面部を構成するＭＤＦボード２３と、面状ＰＴＣヒータ２２の下面に形成された板状下面部を構成する硬質ウレタンボード２４とを固着してユニット化されている。
硬質ウレタンボード２４は、断熱ボードを構成し、表面及び裏面に防湿紙やポリエチレンコート紙、アルミ箔ラミネート紙などを貼着したものとされている。
尚、板状下面部及び断熱ボードを構成する硬質ウレタンボード２４に換えて、外枠箱体１０の底面１１ａに合わせて形成された合板と、その合板の外周縁上面に枠状の桟を周設して、合板と枠状桟とで形成された凹部にウレタンを注入し固化させて、いわゆる湿式形成によりウレタン層を形成して、そのウレタン層を板状下面部及び断熱ボードとしてもよい。
【００１９】
ＭＤＦボード２３は、耐熱ボードを構成し、その外周が、硬質ウレタンボード２４の外周よりも小さく形成されている。
このように、ＭＤＦボード２３の外周を硬質ウレタンボード２４の外周よりも小さく形成することで、硬質ウレタンボード２４の外周部上面が露出し、底面ヒータパネル２０の周縁には、その全周に亙って、係合段部２１が周設される。この係合段部２１の周設幅は、後記する各断熱パネル３０の厚みと略同幅とされている。
ＭＤＦボード２３の下面側には、面状ＰＴＣヒータ２２を受入れる凹部が形成されており、該凹部に面状ＰＴＣヒータ２２が配設されている。
尚、板状上面部として、本実施形態では、ＭＤＦ（中質繊維板）を使用しているが、これに限られず、その他の耐熱性を有する木質系材料、あるいは耐熱性樹脂等を適用してもよい。
【００２０】
面状ＰＴＣヒータ２２の外周は、ＭＤＦボード２３の外周よりもやや小さく形成されており、広範囲に亙って暖房できるように平面状に広がりのあるヒータとしている。
この面状ＰＴＣヒータ２２への給電は、コンセント部３３から配された配線コード１４が、底面ヒータパネル２０の上面に設けられた接続部２５に接続されてなされる。
尚、本実施形態では、加熱手段として、面状ＰＴＣヒータ２２を採用しているが、他の加熱手段、例えば、線条ヒータなどとしてもよい。
また、面状ＰＴＣヒータとしては、公知のものが適用可能であり、ここでの詳述は省略する。
【００２１】
断熱パネル３０は、それぞれ対向配置される二対のパネルで構成されており、パネル対３０Ａ，３０Ａ（以下、パネル３０Ａと略す。）と、パネル対３０Ｂ，３０Ｂ（以下、パネル３０Ｂと略す。）とで構成されている。
また、各パネル３０Ａ，３０Ｂのそれぞれの厚みは、前記した底面ヒータパネル２０の係合段部２１の周設幅と略同幅とされている。
各パネル３０Ａ，３０Ｂのそれぞれの高さは、下端部を前記係合段部２１に係合させて収納箱体１０内に配設された際に、後記する固定金具３４を取付け得るように、外枠箱体１０の上端面１２ｂよりも低くなるような高さとされている。
各パネル３０Ａ，３０Ｂは、硬質ウレタンボード３２の表面（対向配置された際の内方側）にカーペット３１を貼着した構成とされている。すなわち、内側面側がカーペット３１となるように配置される。
【００２２】
パネル３０Ａのそれぞれは、外枠箱体１０の内周面１２ａに沿う方向の長さＬ１が、パネル３０Ａが対向配置される部位に相当する底面ヒータパネル２０のＭＤＦボード２３の一辺の長さと略同長さとされている。
パネル３０Ｂのそれぞれは、外枠箱体１０の内周面１２ａに沿う方向の長さＬ２が、パネル３０Ｂが対向配置される部位に相当する底面ヒータパネル２０の硬質ウレタンボード２４の一辺の長さと略同長さとされている。
換言すれば、パネル３０Ａとパネル３０Ｂとの長さ関係は、外枠箱体１０の内周面１２ａに添設された際に、パネル３０Ａのそれぞれ両端面３０Ａａが、パネル３０Ｂの両端部内側面３０Ｂａに当接するような関係としている。
【００２３】
パネル３０Ｂのうちの一方には、前記した外枠箱体１０の側壁１２に開設された開口１２ｄを介して引き込んだ電源線と接続されるコンセント部３３が形成されている。コンセント部３３には、前記面状ＰＴＣヒータ２２への給電を行うための配線コード１４が接続されるとともに、面状ＰＴＣヒータ２２のＯＮ／ＯＦＦの切替や温度調節等のためのコントローラ１５が接続されている。
尚、本実施形態では、面状ＰＴＣヒータ２２のＯＮ／ＯＦＦの切替や温度調節等のためのコントローラ１５として、コンセント部３３に有線で接続されたものを図示しているが、例えば、微弱電波式等のリモートコントローラとしてもよい。
また、本実施形態では、面状ＰＴＣヒータ２２への給電を、パネル３０Ｂのコンセント部３３を介して配線コード１４を経て行うようにしているが、例えば、外枠箱体１０の底板１１にコンセント部を設け、底面ヒータパネル２０を外枠箱体１０の底面１１ａに載置することで、電気的接続がなされて、床下に配設された電源線からの給電がなされるようにしてもよい。
【００２４】
断熱パネル３０の上端部を固定するための固定具は、固定金具３４と、固定ネジ３５とからなる。
固定金具３４は、パネル３０Ａの上端面３０ａに当接する水平部と、水平部から立ち上り、外枠箱体１０の内周面１２ａの上端部に当接する固定ネジ３５が挿通される挿通孔を有した立ち上り部と、水平部から垂れ下り、パネル３０Ａの内側面上端部に当接して押える押え部とを有し、側面視階段状に形成されている。
【００２５】
框３６は、矩形状の枠体で構成され、内周面の隅部には、座卓（不図示）の脚１６が載置される脚載置部３６ａが形成されている。
この框３６は、外枠箱体１０の側壁１２の上端面１２ｂ及び外枠箱体１０の上端部周縁に形成されたフランジ部１３の上面に固着、あるいは着脱自在に載置されている。
また、框３６が取付けられた際には、框３６の上面と、畳３の上面とが略面一となり、框３６の内周面と、外枠箱体１０の内周面１２ａとが略面一となるような構成としている。
【００２６】
次に、前記した底面ヒータパネル２０及び断熱パネル３０の外枠箱体１０への取付け及び脱離について説明する。
開口部４の開口周縁となる床板２の開口側上面部に係止保持された外枠箱体１０の底面１１ａに、底面ヒータパネル２０を載置する。
底面ヒータパネル２０が外枠箱体１０の底面１１ａに載置された状態では、外枠箱体１０の内周面１２ａと、底面ヒータパネル２０の周縁に周設された係合段部２１とによって、環状凹溝が底面ヒータパネル２０の周縁の全周に亙って形成される。具体的には、環状凹溝は、外枠箱体１０の内周面１２ａの下端部と、硬質ウレタンボード２４の外周部上面と、ＭＤＦボード２３の外周面とで形成されている。
【００２７】
各パネル３０Ａ，３０Ｂは、外枠箱体１０の内周面１２ａに沿って挿し入れられ、前記環状凹溝に、それぞれの下端部が嵌合する。この際、パネル３０Ｂは、その下端部が環状凹溝で固定されるとともに、両端部内側面３０Ｂａには、パネル３０Ａの両端面３０Ａａが当接して固定される。
また、パネル３０Ａは、その下端部が環状凹溝に嵌合することによって、仮固定される。その上端部には、前記固定金具３４が取付けられて、固定ネジ３５によって、上端部の固定がなされる。本実施形態では、固定金具３４は、パネル３０Ａの両端部近傍部位の二箇所に離間して取付けられている。
また、各パネル３０Ａ,３０Ｂの下端部が前記環状凹溝に嵌合することで、底面ヒータパネル２０の周縁、すなわち、係合段部２１を構成する硬質ウレタンボード２４の外周部上面が各パネル３０Ａ，３０Ｂに押えられて固定される。
【００２８】
前記のように、断熱パネル３０を、それぞれ対向配置される二対のパネル３０Ａ，３０Ｂで構成し、外枠箱体１０の内周面１２ａに添設された際に、パネル３０Ａのそれぞれ両端面３０Ａａが、パネル３０Ｂの両端部内側面３０Ｂａに当接する構成としている。従って、パネル３０Ａの両端面３０Ａａで、パネル３０Ｂの両端部内側面３０Ｂａが固定されるので、施工性が良い。この場合は、本実施形態のように、パネル３０Ｂの上端部を固定するための固定具を不要としてもよい。換言すれば、パネル３０Ａの両端面３０Ａａが、パネル３０Ｂの固定具を構成することとなる。このように、パネル３０Ｂがパネル３０Ａの両端面３０Ａａで固定されるので、固定具を別途、取付ける必要がなく、施工性が良いとともに、その脱離も容易となる。
【００２９】
前記のように固定されて取付けられた底面ヒータパネル２０及び断熱パネル３０の脱離は、固定ネジ３５，固定金具３４を取外し、パネル３０Ａ、パネル３０Ｂを取外す。次いで、底面ヒータパネル２０を取外すことでなされる。
以上のように、本実施形態によれば、床１に形成された開口部４に埋め込み施工される上方に開口した方形状の外枠箱体１０の内周面１２ａに添設される断熱パネル３０は、その下端部が、底面ヒータパネル２０の周縁に周設された係合段部２１と、外枠箱体１０の内周面１２ａとで形成される前記環状凹溝に嵌合することで、仮固定がなされるので、断熱パネル３０の取付け作業が容易であり、施工性の良い堀炬燵Ａとなる。
また、底面ヒータパネル２０も、その周縁に断熱パネル３０の下端部が嵌合して押えられるので、外枠箱体１０への取付けは、底面１１ａに載置するだけでよく、施工性が良い。
【００３０】
さらに、底面ヒータパネル２０は、外枠箱体１０の底面１１ａに載置するだけでもその周縁が押えられているので、底面ヒータパネル２０が反り返ったり、浮きが生じたりすることを防止できる。
また、固定具３４，３５を取外してパネル３０Ａの上端部を脱離させることにより、各パネル３０Ａ，３０Ｂを外枠箱体１０から脱離させることができ、外枠箱体１０の底面１１ａに載置した底面ヒータパネル２０の脱離が可能となる。これにより、底面ヒータパネル２０の点検や交換等が可能となり、底面ヒータパネル２０のメンテナンス性が向上する。
特に、底面ヒータパネル２０を、面状ＰＴＣヒータ２２と、その下面に形成された硬質ウレタンボード２４と、面状ＰＴＣヒータ２２の上面に形成されたＭＤＦボード２３とで構成しているので、これら各部材を着脱可能な係止冶具等で連結するようにすれば、面状ＰＴＣヒータ２２の点検、交換、分別廃棄等が容易に行える。
【００３１】
さらにまた、上記のように、底面ヒータパネル２０を、面状ＰＴＣヒータ２２と、その下面に形成された硬質ウレタンボード２４と、面状ＰＴＣヒータ２２の上面に形成されたＭＤＦボード２３とで構成し、ＭＤＦボード２３の外周を、硬質ウレタンボード２４の外周よりも小さく形成することで、係合段部２１を形成しているので、容易に係合段部２１を形成することができる。
また、底面ヒータパネル２０の下面側を、断熱性を有した硬質ウレタンボード２４としているので、硬質ウレタンボード２４と、外枠箱体１０の内周面１２ａに添設される断熱パネル３０とで外枠箱体１０の底面１１ａ及び内周面１２ａが全面に亙って断熱されるため、面状ＰＴＣヒータ２２の輻射熱が、外枠箱体１０の外方へ放熱することを低減でき、外枠箱体１０内（掘炬燵Ａ内）の暖房効果が高まる。
【００３２】
尚、本実施形態では、パネル３０Ａの上端部のみを固定具３４，３５によって、外枠箱体１０の内周面１２ａに固定する構成としているが、パネル３０Ｂの上端部も固定具３４，３５で固定するようにしてもよい。これにより、各パネル３０Ａ，３０Ｂの下端部によって、底面ヒータパネル２０の周縁の押えがより確実かつ効果的になされる。
また、固定金具３４の形状は、前記したものに限られず、断熱パネル３０の上端部を外枠箱体１０の内周面１２ａの上端部に着脱自在に固定し得るものであればどのようなものでもよい。
さらに、本実施形態では、固定金具３４の着脱が、内周面側から可能かつ框３６を脱離することなく可能なように、断熱パネル３０の高さを外枠箱体１０内に配設された際に、外枠箱体１０の上端面１２ｂよりも低くなるような高さとしているが、例えば、その高さを、外枠箱体１０内に配設された際に、外枠箱体１０の上端面１２ｂと同高さとして、側面視Ｌ字型金具で、断熱パネル３０の上端部を外枠箱体１０の内周面１２ａの上端部に固定するようにしてもよい。すなわち、側面視Ｌ字型金具の一辺を断熱パネル３０の上面３０ａ及び側壁１２の上面１２ｂに当接させるようにして、側壁１２の上面１２ｂに固着させ、その側面視Ｌ字型金具の他辺によって断熱パネル３０の上端部内側面を押えるような構成としてもよい。この場合は、固定金具３４の着脱は、框３６を着脱させることにより行うようにしてもよい。
【００３３】
さらにまた、本実施形態では、框３６を、断面視略矩形状のものとし、その内周面が外枠箱体１０の内周面１２ａと略面一となるような形状としているが、断面視略Ｌ字形状として、断熱パネル３０の上端面３０ａ及び外枠箱体１０の上端面１２ｂに当接させて載置されるような構成としてもよい。この場合は、断熱パネル３０の内周面と框３６の内周面を略面一とすることが好ましい。また、このような構成では、固定金具３４の着脱は、框３６を着脱させることにより行うようにしてもよい。
あるいは、上記のように断面視略Ｌ字形状とした框の下端部内周縁に、固定具を構成する押え片を下方に向けて突設させて、該框の下端部が固定具を構成するようにしてもよい。この場合は、該框の着脱により、断熱パネル３０の上端部の固定と、断熱パネル３０の脱離が可能となる。
【００３４】
また、本実施形態では、外枠箱体１０を平面視略正方形状として、それに合わせて各部材を形成しているが、例えば、長方形状としてもよい。この場合は、適宜、底面ヒータパネル２０、断熱パネル３０、框３６等を、外枠箱体１０の形状に合わせて形成すればよい。
さらに、本実施形態では、堀炬燵Ａの取付け箇所として、地盤面（土間）との間に形成された床下スペースを利用して取付ける構成を例示しているが、これに限らず、階上の床下（天井裏）スペースを利用して取付ける構成や、ＲＣ構造の床に形成された開口部に取付ける構成としてもよい。
【００３５】
次に、本発明に係る他の実施の形態について、図面を参照しながら説明する。
図５は、第２実施形態に係る堀炬燵の概略縦断面図である。
尚、第１実施形態との相違点を中心に説明し、第１実施形態と同様の構成については、同一符号を付し、説明を省略する。
【００３６】
本実施形態に係る堀炬燵Ｂは、主に、床１Ａ、開口部４Ａ、底面ヒータパネル２０Ａ及び固定金具３４Ａの構成が前記第１実施形態で説明したそれぞれの部材と異なる。
床１Ａは、前記第１実施形態の畳３に換えて、フローリングパネル３Ａと、床板２とで構成されている。
また、開口部４Ａには、根太６に固定された補強桟９が周設されており、この補強桟９の上面に外枠箱体１０のフランジ部１３が係止あるいは固着されて、外枠箱体１０が係止保持されている。
【００３７】
底面ヒータパネル２０Ａは、板状下面部の構成が前記第１実施形態で説明した底面ヒータパネル２０の構成と異なる。
すなわち、硬質ウレタンボード２４に換えて、真空断熱ボード２４Ａとしている。
真空断熱ボード２４Ａは、外枠箱体１０の底面１１ａに合わせて形成された合板２６と、合板２６の外周縁上面に周設された枠状の桟２７と、桟２７と同高さとされ、真空断熱ボード２４Ａを二分する桟部材２８と、真空断熱材２９とを有している。
本実施形態では、前記環状凹溝は、外枠箱体１０の内周面１２ａの下端部と、枠状の桟２７の外周部上面と、ＭＤＦボード２３の外周面とで形成されている。
【００３８】
真空断熱材２９は、例えば、多孔質のウレタンフォーム、シリカなどの粉末あるいはグラスファイバーなどの繊維でブロック状の芯材を形成し、その芯材をガスバリア性の金属フィルムなどの包装材で外装して真空吸引することにより形成される。
この真空断熱材２９は、合板２６、桟２７及び桟部材２８で形成される凹部に配設される。
このように、断熱材を硬質ウレタンボード２４に換えて真空断熱ボード２４Ａとすることで、断熱効果をより高めることができる。
尚、真空断熱ボード２４Ａとしては、上記以外の公知のものを適用してもよいが、耐熱性のあるものとすることが好ましい。また、複数の桟部材２８を配設するようにしてもよい。
【００３９】
固定金具３４Ａは、その側面視は、階段状で前記第１実施形態と同様であるが、各パネル３０Ａ，３０Ｂの長手方向に沿って、各パネル３０Ａ，３０Ｂの上端部の固定が可能なように、長尺形状としている。
すなわち、各パネル３０Ａ，３０Ｂのそれぞれの上端部に取付けられる４つの長尺階段状金具としており、その両端部近傍部位に、挿通孔を形成し、固定ネジ３５によって、外枠箱体１０の内周面１２ａの上端部に、各パネル３０Ａ，３０Ｂの上端部を固定する構成としている。
尚、各固定金具３４Ａの長手方向に沿う長さは、外枠箱体１０の内周面１２ａに沿って、全周に亙って、内周面１２ａの上端部に当接するような長さとしてもよい。あるいは、各固定金具３４Ａの両端部に、内周面１２ａの上端部の一部が露出するような長さとしてもよい。
【００４０】
また、本実施形態に係る堀炬燵Ｂを、前記第１実施形態で説明した畳敷きの床１に形成された開口部４へ取付ける態様としてもよい。
あるいは、本実施形態に係る堀炬燵Ｂが備える底面ヒータパネル２０Ａに換えて、前記第１実施形態で説明した底面ヒータパネル２０を本実施形態に採用してもよい。
または、本実施形態に係る堀炬燵Ｂが備える固定金具３４Ａに換えて、前記第１実施形態で説明した固定金具３４を本実施形態に採用してもよい。
【図面の簡単な説明】
【００４１】
【図１】本発明に係る堀炬燵の実施形態の一例が床に取付けられた状態を示す概略縦断面図である。
【図２】同実施形態に係る堀炬燵の一部分解概略平面図である。
【図３】同実施形態に係る堀炬燵の一部分解概略斜視図である。
【図４】同実施形態に係る堀炬燵の一部分解概略斜視図である。
【図５】本発明に係る堀炬燵の実施形態の他例が床に取付けられた状態を示す概略縦断面図である。
【符号の説明】
【００４２】
１，１Ａ      床
２      床板（床）
３      畳（床）
３Ａ      フローリングパネル（床）
４，４Ａ      開口部
１０      外枠箱体
１１ａ      外枠箱体の底面
１２ａ      外枠箱体の内周面
２０，２０Ａ      底面ヒータパネル
２１      係合段部
２２      面状ＰＴＣヒータ（加熱手段）
２３      ＭＤＦボード（板状上面部、耐熱ボード）
２４      硬質ウレタンボード（板状下面部、断熱ボード）
２４Ａ      真空断熱ボード（板状下面部、断熱ボード）
３０      断熱パネル
３０Ａ      一方のパネル対
３０Ａａ      一方のパネル対の両端面
３０Ｂ      他方のパネル対
３０Ｂａ      他方のパネル対の両端部内側面
３４，３４Ａ      固定金具（固定具）
３５      固定ネジ（固定具）
Ａ、Ｂ      堀炬燵
【図１】
0004645624.tif 000002
【図２】
0004645624.tif 000003
【図３】
0004645624.tif 000004
【図４】
0004645624.tif 000005
【図５】
0004645624.tif 000006